(57)【要約】【課題】一方向において、自在に可変可能な梱包用緩衝材を提供する。【解決手段】カセット収納部へテープカセットを３つ収納する場合には、カセット収納部の残りのスペースが非常に少なくなる。従って、変形量が大きく潰れた梱包用緩衝材１を挿入する。この場合、梱包用緩衝材１の第一屈曲部４１が第二切欠部５２に深く進入し、第二屈曲部５１が第一切欠部４２に深く進入している。３つのテープカセットをカセット収納部へ収納した残りのスペースを大きく潰れた梱包用緩衝材１が埋める。【選択図】図１０
2015024847.tif 000002
【特許請求の範囲】
【請求項１】
矩形の第一平面板と、
前記第一平面板と対向する矩形の第二平面板と、
前記第一平面板の一端部と前記第二平面板の一端部との間に設けられた第一側面板と、
前記第一平面板の前記一端部と反対側の他端部と前記第二平面板の前記一端部と反対側の他端部との間に設けられた第二側面板と
を備えた角筒形状に形成され、
前記第一側面板は、
前記第一平面板の前記一端部と交差する方向に延設された第一側端部及び第二側端部と、
前記第一平面板の前記一端部と平行に形成され、前記角筒の内側に屈曲する第一屈曲部と、
前記第一側端部側から前記第二側端部方向に前記第一屈曲部の周囲が所定幅及び所定長さ切り欠かれた第一切欠部とを備え、
前記第二側面板は、
前記第一側面板の前記第一側端部と対向する第三側端部及び前記第一側面板の前記第二側端部と対向する第四側端部と、
前記第一平面板の前記他端部と平行に形成され、前記角筒の内側に屈曲する第二屈曲部と、
前記第四側端部側から前記第三側端部方向に前記第二屈曲部の周囲が所定幅及び所定長さ切り欠かれた第二切欠部とを備え、
前記第一屈曲部が前記第二切欠部に進入可能であり、
前記第二屈曲部が前記第一切欠部に進入可能であることを特徴とする梱包用緩衝材。
【請求項２】
前記第一平面板の前記一端部には前記第一側面板の一端部が接続され、且つ、前記第二平面板の前記一端部には前記第一側面板の他端部が接続され、
前記第一平面板の内側には、前記第一平面板と平行に矩形の第三平面板が設けられ、
前記第三平面板の一端部が前記第一平面板の前記一端部に近接し、
前記第三平面板の前記一端部と反対側の他端部が前記第一平面板の前記他端部に近接し、
前記第二平面板の前記他端部には前記第二側面板の他端部が接続され、且つ、前記第三平面板の他端部には、第二側面板の前記一端部が接続されていることを特徴とする請求項１に記載の梱包用緩衝材。
【請求項３】
前記梱包用緩衝材は、段ボール板から形成され、
前記第二平面板の厚さ方向において互いに対向する少なくとも一組の面の間に設けられ、一定方向に延設される山部及び谷部が交互に配置されることで波形状をなす中芯をさらに備え、
前記山部及び前記谷部の延設方向は、前記第二平面板の前記一端部及び前記他端部と平行であることを特徴とする請求項１又は２に記載の梱包用緩衝材。
【請求項４】
前記第一切欠部の長さは、前記第一側面板の前記第一側端部及び前記第二側端部間の長さの２分の１以上であり、
前記第二切欠部の長さは、前記第二側面板の前記第三側端部及び前記第四側端部間の長さの２分の１以上であることを特徴とする請求項１〜３の何れかに記載の梱包用緩衝材。
【発明の詳細な説明】
【技術分野】
【０００１】
本発明は、隙間を埋める梱包用緩衝材に関する。
【背景技術】
【０００２】
従来、上面板と、左右の側面板と、底面板とを備えた筒形をなし、両側面板の高さ方向の少なくとも一部を横断して、縦断面内向きＶ字形に屈曲され、折り目の弾性により上下に屈曲伸縮可能となった段ボール紙製の包装用緩衝材が知られている（例えば、特許文献１参照）。
【先行技術文献】
【特許文献】
【０００３】
【特許文献１】特開２０１０−３６９２５号公報
【発明の概要】
【発明が解決しようとする課題】
【０００４】
特許文献１に記載の梱包用緩衝材では、変形できる範囲に限りがあり、被収納物の数や大きさの変化に十分対応できない。被収納物の収納部で余るスペースは、梱包する被収納物の形状により異なる。そのため、梱包用緩衝材は梱包されるものに応じて新設計される必要があり、コストも大きくなるという問題点があった。
【０００５】
本発明の目的は、一方向において、自在に可変可能な梱包用緩衝材を提供することである。
【課題を解決するための手段】
【０００６】
本発明に係る梱包用緩衝材は、矩形の第一平面板と、前記第一平面板と対向する矩形の第二平面板と、前記第一平面板の一端部と前記第二平面板の一端部との間に設けられた第一側面板と、前記第一平面板の前記一端部と反対側の他端部と前記第二平面板の前記一端部と反対側の他端部との間に設けられた第二側面板とを備えた角筒形状に形成され、前記第一側面板は、前記第一平面板の前記一端部と交差する方向に延設された第一側端部及び第二側端部と、前記第一平面板の前記一端部と平行に形成され、前記角筒の内側に屈曲する第一屈曲部と、前記第一側端部側から前記第二側端部方向に前記第一屈曲部の周囲が所定幅及び所定長さ切り欠かれた第一切欠部とを備え、前記第二側面板は、前記第一側面板の前記第一側端部と対向する第三側端部及び前記第一側面板の前記第二側端部と対向する第四側端部と、前記第一平面板の前記他端部と平行に形成され、前記角筒の内側に屈曲する第二屈曲部と、前記第四側端部側から前記第三側端部方向に前記第二屈曲部の周囲が所定幅及び所定長さ切り欠かれた第二切欠部とを備え、前記第一屈曲部が前記第二切欠部に進入可能であり、前記第二屈曲部が前記第一切欠部に進入可能であることを特徴とする。
【０００７】
この梱包用緩衝材は、第一屈曲部及び第二屈曲部が角筒の内側に屈曲することで、第一平面板と第二平面板とが接近するように梱包用緩衝材が変形する。第一屈曲部及び第二屈曲部の屈曲する量を変更することで、任意の大きさに可変可能である。また、第一屈曲部及び第二屈曲部はバネ性を有するので、梱包用緩衝材は、耐衝撃性に優れ緩衝材の役割を果たすことができる。また、第一屈曲部が第二切欠部に進入可能であり、第二屈曲部が第一切欠部に進入可能であるので、第一平面板と第二平面板とが接近して梱包用緩衝材を薄い状態まで変形可能である。従って、梱包用緩衝材の第一平面板と第二平面板との距離の可変量を大きくできる。従って、一方向において、自在に可変可能な梱包用緩衝材を実現できる。
【０００８】
前記梱包用緩衝材において、前記第一平面板の前記一端部には前記第一側面板の一端部が接続され、且つ、前記第二平面板の前記一端部には前記第一側面板の他端部が接続され、前記第一平面板の内側には、前記第一平面板と平行に矩形の第三平面板が設けられ、前記第三平面板の一端部が前記第一平面板の前記一端部に近接し、前記第三平面板の前記一端部と反対側の他端部が前記第一平面板の前記他端部に近接し、前記第二平面板の前記他端部には前記第二側面板の他端部が接続され、且つ、前記第三平面板の他端部には、第二側面板の前記一端部が接続されているとよい。
【０００９】
この場合、第三平面板が第一平面板に重なることで、梱包用緩衝材の外形が形成される。また、第三平面板の一端部が第一平面板の一端部に近接しているので、第三平面板が第一平面板に重なり合っている部分を大きく取ることができる。従って、重なり合っている部分においては剛性が上がり、しなることが防止される。よって、梱包用緩衝材全体の強度が上がる。
【００１０】
前記梱包用緩衝材において、前記梱包用緩衝材は、段ボール板から形成され、前記第二平面板の厚さ方向において互いに対向する少なくとも一組の面の間に設けられ、一定方向に延設される山部及び谷部が交互に配置されることで波形状をなす中芯をさらに備え、前記山部及び前記谷部の延設方向は、前記第二平面板の前記一端部及び前記他端部と平行であるとよい。
【００１１】
この場合、段ボール板の中芯の山部及び谷部の延設方向は、第二平面板の一端部及び他端部と平行であるので、第二平面板の一端部及び他端部を折り曲げる方向への剛性を高めることができる。
【００１２】
前記梱包用緩衝材は、 前記第一切欠部の長さは、前記第一側面板の前記第一側端部及び前記第二側端部間の長さの２分の１以上であり、前記第二切欠部の長さは、前記第二側面板の前記第三側端部及び前記第四側端部間の長さの２分の１以上であってもよい。
【００１３】
この場合、第一切欠部及び第二切欠部の大きさが、第一屈曲部が第二切欠部に進入可能であり、第二屈曲部が第一切欠部に進入可能な大きさになるので、第一平面板と第二平面板とが接近して梱包用緩衝材を薄い状態まで変形可能である。従って、梱包用緩衝材の第一平面板と第二平面板との距離の可変量が大きくできる。
【図面の簡単な説明】
【００１４】
【図１】ケース１００のカセット収納部１０２にテープカセット９０及び梱包用緩衝材１が収容された状態を示す斜視図である。
【図２】梱包用緩衝材１を左斜め下方から見た斜視図である。
【図３】梱包用緩衝材１の正面図である。
【図４】梱包用緩衝材１の左側面図である。
【図５】梱包用緩衝材１の展開図である。
【図６】ケース１００のカセット収納部１０２にテープカセット９０を１つと梱包用緩衝材１とが収容された状態を示す正面図である。
【図７】ケース１００のカセット収納部１０２にテープカセット９０を２つと梱包用緩衝材１とが収容された状態を示す正面図である。
【図８】梱包用緩衝材１が中程度に圧縮された状態を示す正面図である。
【図９】ケース１００のカセット収納部１０２にテープカセット９０を３つと梱包用緩衝材１とが収容された状態を示す正面図である。
【図１０】梱包用緩衝材１が大きく圧縮された状態を示す正面図である。
【発明を実施するための形態】
【００１５】
以下、本発明を具体化した実施の形態について、図面を参照して説明する。なお、参照する図面は、本発明が採用しうる技術的特徴を説明するために用いられるものであり、単なる説明例である。
【００１６】
図１を参照して、一実施形態に係る梱包用緩衝材１の使用状態について説明する。図示しないテープ印字装置およびテープカセット９０は、運搬時には、ケース１００に収納される。ケース１００には、扉１１０と図示しない扉とが、図示しない蝶番で開閉可能になっている。扉１１０の内側には、図示しないテープ印字装置を収納する印字装置収納部１０１と、テープカセット９０を収納するカセット収納部１０２と、図示しない電源装置を収納する電源収納部１０３と、図示しない取り扱い説明書を収納する説明書収納部１０４と、把持部１０５とが形成されている。カセット収納部１０２には、被収納物であるテープカセット９０と隙間を埋めるための梱包用緩衝材１とが収納される。
【００１７】
次に、図２〜図５を参照して、梱包用緩衝材１の構造を説明する。図５に示すように、梱包用緩衝材１は、平面視、略矩形の段ボール板７で構成されている。段ボール板７には、互いに対向する段ボール板７の表面及び裏面の間に設けられ、段ボール板７の長手方向と直交する方向に延設される山部及び谷部が交互に配置されることで波形状をなす中芯２が設けられている。中芯２の山部及び谷部の延設方向は、第二平面板２０の一端部２１及び他端部２２と平行である。従って、段ボール板７の長手方向と直交する方向の折り曲げ強度が向上する。
【００１８】
図２〜図４に示すように、梱包用緩衝材１は、平面視矩形の第一平面板１０と、第一平面板１０と対向する平面視矩形の第二平面板２０と、第一平面板１０の一端部１１と第二平面板２０の一端部２１との間に設けられた第一側面板４０と、第一平面板１０の一端部１１と反対側の他端部１２と第二平面板２０の一端部２１と反対側の他端部２２との間に設けられた第二側面板５０とを備えた角筒形状に形成されている。また、第一平面板１０の内側には、第一平面板１０と平行に平面視矩形の第三平面板３０が設けられている。第三平面板３０の一端部３１は、第一平面板１０の一端部１１に接近し、第三平面板３０の他端部３２は、第二側面板５０と接続している。
【００１９】
次に、図２、図３及び図５を参照して、第一側面板４０について説明する。第一側面板４０は、第一平面板１０の一端部１１と交差する方向に延設された第一側面板４０の幅方向の端部である第一側端部４３及び第二側端部４４を備えている。また、第一側面板４０は、第一平面板１０の一端部１１と平行に形成され、角筒の内側に屈曲する第一屈曲部４１を備えている。第一屈曲部４１は第一側面板４０を外側から谷折りするための折り目である。また、第一側面板４０には、第一側端部４３側から第二側端部４４方向に第一屈曲部４１の周囲が矩形に所定幅及び所定長さ切り欠かれた第一切欠部４２が形成されている。第一切欠部４２は、第一屈曲部４１の延長線に対して対称形になっている。
【００２０】
次に、図２、図３及び図５を参照して、第二側面板５０について説明する。第二側面板５０は、第一平面板１０の他端部１２と交差する方向に延設された第二側面板５０の幅方向の端部である第三側端部５３及び第四側端部５４を備えている。第三側端部５３は、第一側面板４０の第一側端部４３と対向する。第四側端部５４は、第一側面板４０の第二側端部４４と対向する。また、第二側面板５０は、第一平面板１０の他端部１２と平行に形成され、角筒の内側に屈曲する第二屈曲部５１を備えている。第二屈曲部５１は第二側面板５０を外側から谷折りするための折り目である。また、第二側面板５０には、第四側端部５４側から第三側端部５３方向に第二屈曲部５１の周囲が矩形に所定幅及び所定長さ切り欠かれた第二切欠部５２が形成されている。第二切欠部５２は、第二屈曲部５１の延長線に対して対称形になっている。
【００２１】
次に、図５を参照して、梱包用緩衝材１を展開した段ボール板７を説明する。図５は、梱包用緩衝材１を展開した内面を示している。平面視略矩形の段ボール板７は、図５に於ける下側から上側に向けて、第一平面板１０、第一側面板４０、第二平面板２０、第二側面板５０及び第三平面板３０が一列に並んでいる。第一平面板１０、第二平面板２０及び第三平面板３０は、平面視、各々矩形である。また、第一側面板４０は、時計回りに９０度回転した略Ｕ字形状であり、第二側面板５０は、反時計回りに９０度回転した略Ｕ字形状である。第一平面板１０と第一側面板４０との間には、段ボール板７の長手方向と直交方向に谷折りする折り目３が設けられ、第一側面板４０と第二平面板２０との間には、段ボール板７の長手方向と直交方向に谷折りする折り目４が設けられ、第二平面板２０と第二側面板５０との間には、段ボール板７の長手方向と直交方向に谷折りする折り目５が設けられ、第二側面板５０と第三平面板３０との間には、段ボール板７の長手方向と直交方向に谷折りする折り目６が設けられている。
【００２２】
また、第一側面板４０には、段ボール板７の長手方向と直交方向に山折りする折り目である第一屈曲部４１が設けられ、第二側面板５０には、段ボール板７の長手方向と直交方向に山折りする折り目である第二屈曲部５１が設けられている。また、第一側面板４０には、図５において、右側から正面視矩形の切り欠きである第一切欠部４２が形成されている。また、第二側面板５０には、図５において、左側から正面視矩形の切り欠きである第二切欠部５２が形成されている。従って、段ボール板７を折り目３、折り目４、折り目５及び折り目６を谷折りし、第一屈曲部４１及び第二屈曲部５１を山折りして、第三平面板３０を第一平面板１０の内側に重ねると、図２〜図４に示す正面視スピンドル型の角筒である梱包用緩衝材１が形成される。段ボール板７の大きさは、形成する梱包用緩衝材１の大きさに合わせて決定すれば良い。
【００２３】
尚、図４に示すように、第一切欠部４２の第一屈曲部４１の延設方向に於ける長さは、第一側面板４０の幅である第一側端部４３及び第二側端部４４間の長さの２分の１以上あり、第二切欠部５２の第二屈曲部５１の延設方向に於ける長さは、第二側面板５０の幅である第三側端部５３及び第四側端部５４間の長さの２分の１以上ある。従って、第一屈曲部４１が第二切欠部５２に進入可能であり、第二屈曲部５１が第一切欠部４２に進入可能である。
【００２４】
次に、図３、図６〜図１０を参照して、ケース１００のカセット収納部１０２へのテープカセット９０と梱包用緩衝材１との収納を説明する。初めに、図３及び図６を参照して、カセット収納部１０２へ１つのテープカセット９０と梱包用緩衝材１とを収納する場合を説明する。カセット収納部１０２へテープカセット９０を１つ収納する場合には、カセット収納部１０２の残りのスペースが大きくなる。従って、図３及び図６に示すように変形量が少ない梱包用緩衝材１を挿入する。この場合、梱包用緩衝材１の段ボール板７の折り目である第一屈曲部４１及び第二屈曲部５１は、段ボール板７の剛性により屈曲が小さくなり、第一平面板１０と第二平面板２０との距離は長くなる。従って、図３に示すように、第一屈曲部４１が第二切欠部５２に進入しておらず、第二屈曲部５１が第一切欠部４２に進入していない。１つのテープカセット９０をカセット収納部１０２へ収納した残りのスペースを図６に示すように梱包用緩衝材１が埋める。
【００２５】
次に、図７及び図８を参照して、カセット収納部１０２へ２つのテープカセット９０と梱包用緩衝材１とを収納する場合を説明する。カセット収納部１０２へテープカセット９０を２つ収納する場合には、カセット収納部１０２の残りのスペースが半分以下になる。従って、図７及び図８に示すように変形量が中程度の梱包用緩衝材１を挿入する。この場合、図８に示すように、第一屈曲部４１が第二切欠部５２に進入し、第二屈曲部５１が第一切欠部４２に進入している。２つのテープカセット９０をカセット収納部１０２へ収納した残りのスペースを図７に示すように梱包用緩衝材１が埋める。
【００２６】
次に、図９及び図１０を参照して、カセット収納部１０２へ３つのテープカセット９０と梱包用緩衝材１とを収納する場合を説明する。カセット収納部１０２へテープカセット９０を３つ収納する場合には、カセット収納部１０２の残りのスペースが非常に少なくなる。従って、図９及び図１０に示すように変形量が大きく潰れた梱包用緩衝材１を挿入する。この場合、図１０に示すように、第一屈曲部４１が第二切欠部５２に深く進入し、第二屈曲部５１が第一切欠部４２に深く進入している。３つのテープカセット９０をカセット収納部１０２へ収納した残りのスペースを図９に示すように梱包用緩衝材１が埋める。
【００２７】
以上説明したように、上記実施の形態の梱包用緩衝材１では、第一屈曲部４１が第二切欠部５２に進入でき、第二屈曲部５１が第一切欠部４２に進入できるので、 第一平面板１０と第二平面板２０とが接近して梱包用緩衝材１を薄い状態まで変形可能である。従って、梱包用緩衝材１の第一平面板１０と第二平面板２０との距離の可変量を大きくできる。よって、一方向において、自在に可変可能な梱包用緩衝材１を提供できる。また、第一屈曲部４１及び第二屈曲部５１は段ボール板７の剛性によりバネ性を有するので、梱包用緩衝材１は耐衝撃性に優れ、緩衝材の役割を十分に果たすことができる。また、第三平面板３０が第一平面板１０に重なるので、梱包用緩衝材１の強度が上がる。さらに、段ボール板７の中芯２の山部及び谷部の延設方向は、第二平面板２０の一端部２１及び他端部２２と平行であるので、第二平面板２０の一端部２１及び他端部２２を折り曲げる方向への剛性を高めることができる。
【００２８】
尚、本発明は、上記実施の形態に限られず各種の変形が可能である。例えば、第一切欠部４２と第二切欠部５２とを同じ大きさでなく、一方を大きく、他方を小さくしても第一側面板４０から第二側面板５０を見た場合に、第一切欠部４２と第二切欠部５２とで重なる範囲が有ればよい。また、図５において、第一切欠部４２は、折り目３及び折り目４まで届くように切り欠いてもよい。同様に、第二切欠部５２は、折り目５及び折り目６まで届くように切り欠いてもよい。また、梱包用緩衝材１は、テープカセット９０の数の変化だけでなく、１つのテープカセット９０の厚みの変化にも対応できる。尚、梱包用緩衝材１は、上記実施の形態以外の各種の被収納物の収納部の隙間を埋めるために使用できる。
【符号の説明】
【００２９】
１ 梱包用緩衝材
７ 段ボール板
１０ 第一平面板
１１ 一端部
１２ 他端部
２０ 第二平面板
２１ 一端部
２２ 他端部
３０ 第三平面板
３１ 一端部
３２ 他端部
４０ 第一側面板
４１ 第一屈曲部
４２ 第一切欠部
４３ 第一側端部
４４ 第二側端部
５０ 第二側面板
５１ 第二屈曲部
５２ 第二切欠部
５３ 第三側端部
５４ 第四側端部
９０ テープカセット
１００ ケース
１０２ カセット収納部
【図１】
2015024847.tif 000003
【図２】
2015024847.tif 000004
【図３】
2015024847.tif 000005
【図４】
2015024847.tif 000006
【図５】
2015024847.tif 000007
【図６】
2015024847.tif 000008
【図７】
2015024847.tif 000009
【図８】
2015024847.tif 000010
【図９】
2015024847.tif 000011
【図１０】
2015024847.tif 000012